(57)【要約】      （修正有）【課題】ワンタッチで蓋を開いてディスクを取り出すことが可能なディスク収納ケースを提供する。【解決手段】ディスク収納ケースは、中心孔を有するディスクＤの中心孔に嵌合してディスクＤを支持するディスク支持部５を内壁面の中心部に備えてディスクＤの裏面全体を覆い、かつディスク支持部を含む上方領域２ａが外側へ折り曲げ可能に構成された裏蓋２と、裏蓋の下方領域２ｂに固着されて、ディスク支持部に支持されたディスクＤの下方部分を収容するケース体７を裏蓋の下方領域とともに構成する表蓋３と、裏蓋の上縁に折曲げ可能に連接されて、ディスクＤの表側の面の上方部分を開閉可能に覆う開閉蓋４と、開閉蓋をディスク支持部に係脱可能に係止する係止手段とを備える。【選択図】図５
2006036274.tif 000002
【特許請求の範囲】
【請求項１】
中心孔を有するディスクの該中心孔に嵌合して該ディスクを支持するディスク支持部を内壁面の中心部に備えて前記ディスクの裏面全体を覆い、かつ前記ディスク支持部を含む上方領域が外側へ折り曲げ可能に構成された裏蓋と、
該裏蓋の下方領域に固着されて、前記ディスク支持部に支持された前記ディスクの下方部分を収容するケース体を前記裏蓋の下方領域とともに構成する表蓋と、
前記裏蓋の上縁に折曲げ可能に連接されて、前記ディスクの表側の面の上方部分を開閉可能に覆う開閉蓋と、
該開閉蓋の開き口を前記ディスク支持部に係脱可能に係止する係止手段と、
を備えてなることを特徴とするディスク収納ケース。
【請求項２】
前記ディスク支持部の端面が前記開閉蓋から外部に臨んでおり、前記係止手段は、前記ディスク支持部の端面を押圧することにより前記開閉蓋の開き口の係止を解除するものであることを特徴とする請求項１記載のディスク収納ケース。
【請求項３】
前記開閉蓋は、前記ディスクの裏面側に折り返され、かつ前記ケース体の底面に係止されて、該ケース体内に下方部を収容された前記ディスクのためのディスクスタンドの脚部を構成し得るものであることを特徴とする請求項１または２記載のディスク収納ケース。
【請求項４】
中心孔を有するディスクの該中心孔に嵌合して該ディスクを支持するディスク支持部を内壁面の中心部に備えて前記ディスクの裏面全体を覆い、かつ前記ディスク支持部を含む上方領域が外側に折り曲げ可能に構成された裏蓋と、
該裏蓋の下方領域に固着されて、前記ディスク支持部に支持された前記ディスクの下方部分を収容するケース体を前記裏蓋の下方領域とともに構成する下方領域と、該下方領域の上縁に外側へ折り曲げ可能に連接されて前記ディスクの表側の面の上方部分を開閉可能に覆う上方領域とを備えた表蓋と、
前記裏蓋の上方領域と前記表蓋の上方領域とを係脱可能に係止する係止手段と、
を備えてなることを特徴とするディスク収納ケース。
【発明の詳細な説明】
【技術分野】
【０００１】
本発明はディスク収納ケースに関し、特に、ＣＤ，ＤＶＤ等の記録媒体ディスクを収納するディスク収納ケースに関するものである。
【背景技術】
【０００２】
従来、一般に使用されている扁平なＣＤケース（以下「ハードケース」と呼ぶ）は、中心部に設けられたディスククランパによってディスクを着脱自在に支持するディスクトレーと、このディスクトレーを固定してケースの一方の主面を形成する下蓋と、この下蓋に開閉可能に軸支されて他方の主面を形成する上蓋とによって構成されている。
【０００３】
このような構成を有するハードケースからディスクを取り出す場合には、先ず上蓋を開き、片方の手で下蓋を保持しながら、ディスクトレーにクランプされているディスクの外周縁の両端を他方の手の拇指と中指で持ち、食指の先でクランパを押してディスクをクランパから外すという比較的面倒な手順が必要であった。
【発明の開示】
【発明が解決しようとする課題】
【０００４】
上述の事情に鑑み、本発明は、ワンタッチで蓋を開いてディスクを取り出すことが可能な、いわゆるソフトケースと呼ばれるディスク収納ケースを提供することを課題とするものである。
【課題を解決するための手段】
【０００５】
本願第１の発明によるディスク収納ケースは、
中心孔を有するディスクの中心孔に嵌合してディスクを支持するディスク支持部を内壁面の中心部に備えてディスクの裏面全体を覆い、かつ上記ディスク支持部を含む上方領域が外側へ折り曲げ可能に構成された裏蓋と、
この裏蓋の下方領域に固着されて、上記ディスク支持部に支持されたディスクの下方部分を収容するケース体を上記裏蓋の下方領域とともに構成する表蓋と、
上記裏蓋の上縁に折曲げ可能に連接されて、ディスクの表側の面の上方部分を開閉可能に覆う開閉蓋と、
この開閉蓋の開き口を上記ディスク支持部に係脱可能に係止する係止手段とを備えてなることを特徴とするものである。
【０００６】
この場合、上記ディスク支持部の端面が上記開閉蓋から外部に臨んでおり、上記係止手段は、上記ディスク支持部の端面を押圧することにより上記開閉蓋の開き口の係止を解除するものであることが好ましい。
【０００７】
また、上記開閉蓋は、ディスクの裏面側に折り返され、かつ上記ケース体の底面に係止されて、このケース体内に下方部を収容されたディスクのためのディスクスタンドの脚部を構成し得るものであることが好ましい。
【０００８】
本願第２の発明によるディスク収納ケースは、
中心孔を有するディスクの中心孔に嵌合してディスクを支持するディスク支持部を内壁面の中心部に備えてディスクの裏面全体を覆い、かつ上記ディスク支持部を含む上方領域が外側に折り曲げ可能に構成された裏蓋と、
この裏蓋の下方領域に固着されて、上記ディスク支持部に支持されたディスクの下方部分を収容するケース体を裏蓋の下方領域とともに構成する下方領域と、この下方領域の上縁に外側へ折り曲げ可能に連接されてディスクの表側の面の上方部分を開閉可能に覆う上方領域とを備えた表蓋と、
裏蓋の上方領域と表蓋の上方領域とを係脱可能に係止する係止手段とを備えてなることを特徴とするものである。
【発明の効果】
【０００９】
本願第１および２の発明によるディスク収納ケースは、ディスクの中心孔に嵌合してディスクを支持するディスク支持部を内壁面の中心部に備えてディスクの裏面全体を覆う裏蓋の上記ディスク支持部を含む上方領域が、外側に折り曲げ可能に構成され、かつ表蓋の全体または下方領域が裏蓋の下方領域に固着されて、上記ディスク支持部に支持されたディスクの下方部分を収容するケース体を上記裏蓋の下方領域とともに構成しているので、裏蓋の上方領域を外側に折り曲げることにより、ディスク支持部をディスクの中心孔から抜いて、ディスクを上方に取り出すことができ、ディスクの取出しが容易になる。
【００１０】
特に、本願第１の発明によれば、上記裏蓋の上縁に折曲げ可能に連接されて、ディスクの表側の面の上方部分を開閉可能に覆う開閉蓋と、この開閉蓋の開き口を上記ディスク支持部に係脱可能に係止する係止手段とを備えていることにより、係止手段による開閉蓋の係止を外して、裏蓋の上方領域を開閉蓋とともに折り曲げることにより、極めて容易にディスクを取出すことができる利点がある。
【００１１】
その場合に、上記開閉蓋から外部に臨むディスク支持部の端面を押圧することにより開閉蓋の開き口の係止が解除されるように構成しておけば、ワンタッチで開閉蓋を開放することができる。
【００１２】
また、上記開閉蓋を、ディスクの裏面側に折り返しかつ上記ケース体の底面に係止すると、ディスクスタンドの脚部となるように構成すれば、実用上極めて便利である。
【００１３】
さらに、本願第２の発明によれば、表蓋が、裏蓋の下方領域に固着されてディスク支持部に支持されたディスクの下方部分を収容するケース体を裏蓋の下方領域とともに構成する下方領域と、この下方領域の上縁に外側へ折り曲げ可能に連接されてディスクの表側の面の上方部分を開閉可能に覆う上方領域とを備え、かつこの表蓋の上方領域と裏蓋の上方領域とを係脱可能に係止する係止手段とを備えていることにより、この係止手段による表蓋と裏蓋との上方領域同士の係止を外して、双方の上方領域を外方へ折り曲げるだけで、極めて容易にディスクを取出すことができる利点がある。
【発明を実施するための最良の形態】
【００１４】
図１および図２は、本願第１の発明によるディスク収納ケースの開閉蓋が閉じた状態および開閉蓋が開いた状態をそれぞれ示す概略的斜視図、図３は要部の拡大断面図、図４は図３の開閉蓋が開いた状態を示す拡大断面図、図５（ａ）〜（ｄ）は、ディスク収納ケースが開く状態を示す概略的断面図である。
【００１５】
図１および図２において、比較的柔軟なプラスチック材料で形成されたこのディスク収納ケース１は、ディスクＤの裏面全体を覆う裏蓋２と、ディスクＤの表側の面の下方部分を覆う表蓋３と、裏蓋２の上縁に折曲げ可能に連接されて、ディスクＤの表側の面の上方部分を開閉可能に覆う開閉蓋４とを備えている。
【００１６】
図３に示すように、裏蓋２の内壁面の中心部には、ディスクＤの中心孔Ｄａに嵌合してディスクＤを支持する円筒形のディスク支持部５が突設され、このディスク支持部５の端面５ａは、ケース１の閉状態において、図３に示すように表蓋３の表面とほぼ面一（つらいち）になっている。
【００１７】
裏蓋２には、ディスク支持部５の直下の部位に、折れ目となる横方向に延びる肉薄部２ｃが形成され、この肉薄部２ｃから上の上方領域２ａが、図４に示すように、外方へ折り曲げ可能に構成されている。表蓋３は、裏蓋２の上記肉薄部２ｃよりも下の下方領域２ｂの下端に連接して設けられており、この下方領域２ｂとともに、上方に開口する丈の短いケース体７を形成しており、このケース体７内に、ディスク支持部５に支持されたディスクＤの下方部分が収容されている。
【００１８】
裏蓋２の上縁に連接されている開閉蓋４は、裏蓋２の上縁から表側に回り、図１に示す閉状態においては、その端縁４ａが表蓋３の上縁３ａに対してほぼ一直線上に整列するような寸法に形成されているが、端縁４ａの両端には爪１４，１４が形成され、これに応じて表蓋３の上縁３ａの両端には、上記爪１４，１４を収容する切欠き１３，１３が形成されている。また裏蓋２の裏面の下縁の両端には、後述する図７に示すようなディスクスタンド１０を組み立てる場合に上記爪１４，１４の先端が挿入される溝９，９が上記下縁に沿って形成されている。
【００１９】
開閉蓋４の端縁４ａ近傍の中央部には、図１および図２から明らかなように、ディスク支持部５を外部に臨ませる円形の切欠き部４ｂが形成され、ディスク支持部５の先端外周には、開閉蓋４の切欠き部４ｂに係合して、開閉蓋４の開き口を係止するための図３に示すような係止突起８が形成されている。そして、開閉蓋４を閉じると、その切欠き部４ｂの縁部が係止突起８に当接することにより、切欠き部４ｂの縁部が弾性的に撓んで係止突起８に係合し、これによって、開閉蓋４は、ディスク支持部５の端面５ａを外部に臨ませた状態で、かつ開閉蓋４の表面がディスク支持部５の端面５ａとほぼ面一（つらいち）になった状態で、さらに開方向に弾性的に付勢された状態でディスク支持部５に係止される。
【００２０】
一方、図３および図５（ａ）に示す閉状態から開閉蓋４を開くときには、ディスク支持部５の端面５ａを押圧することにより、図４および図５（ｂ）に示すように、裏蓋２の上方領域２ａが薄肉部２ｃから後方へ僅かに折れ曲がり、同時に開閉蓋４の切欠き部４ｂの縁部が弾性的に撓んで係止突起８との係合状態が解除され、開閉蓋４はその弾性により途中まで開く。この開閉蓋４を手で開くと、ディスク支持部５がディスクＤの中心孔Ｄａから抜き出され、図５（ｃ），（ｄ）に示すように、裏蓋４の上方領域２ａがさらに折れ曲がり、ディスクＤをケース体７から極めて容易に取り出すことが可能になる。
【００２１】
また、図５（ｄ）に示す状態の次に、開閉蓋４を裏蓋２の上縁から図６（ａ）に示すように逆方向に折り曲げ、さらに図６（ｂ）および図７に示すように、開閉蓋４の端縁４ａの両端に形成されている爪１４，１４の先端を、裏蓋裏面の溝９，９に挿入して係止させることにより、ディスクスタンド１０を構築することができる。
【００２２】
図８は、本願第２の発明によるディスク収納ケースの蓋が閉じた状態を示す概略的斜視図、図９は要部の拡大断面図、図１０は図９の裏蓋および表蓋が開いた状態を示す拡大断面図である。
【００２３】
上述した第１の実施の形態では、表蓋３がディスクＤの表側の面の下方部分のみを覆い、ディスクＤの表側の面の上方部分は、裏蓋２の上縁に折り曲げ可能に連接された開閉蓋４が覆うように構成されていたが、本実施の形態のディスク収納ケース１１では、その表蓋３が、裏蓋２の下方領域２ｂに固着されて裏蓋２の下方領域２ｂとともにディスクＤの下方部分を収容するケース体７を構成する下方領域３ｂを備えていることに加えて、表蓋３は、図１０から明らかなように、裏蓋２の肉薄部２ｃとほぼ同じ高さ位置に形成された肉薄部３ｃから外方へ折れ曲がる上方領域３ｄを裏蓋２と同様に備え、この上方領域３ｄがディスクＤの表側の面の上方部分を覆っている点に特徴がある。
【００２４】
この場合は、表蓋３および裏蓋２の上方領域３ｄ，２ａの縁部同士が、図８に示すように適当な蓋止め具１２によって係止されることによってケース１１が閉じられ、ケース１１を開けるときには、蓋止め具１２を外して図１１（ａ）に示すように裏蓋２の上方領域２ａを後方へ開き、次いで図１１（ｂ）に示すように表蓋３の上方領域３ｄを前方へ開くことによって、ディスクＤをケース１１から極めて容易に取り出すことができる。
【００２５】
なお、図８に示すケース１１では、表蓋３の上方領域３ｄが裏蓋２の上方領域２ａに対応して矩形であるが、例えば図１２に示すケース１１′のように、ディスクＤの外周に倣った半円形の上方領域３ｄ′を有する表蓋３であってもよい。その場合には、半円形の上方領域３ｄ′に対して相補性形状を有する延長部２ｄを裏蓋２の上縁に折り曲げ可能に連接し、この延長部２ｄをケース１１′の表側に折り曲げて、表蓋３の上方領域３ｄ′に係合させ、当な蓋止め具１２によって係止すればよい。ケース１１′を開けるときには、蓋止め具１２を外して図１３（ａ）に示すように裏蓋２の上方領域２ａおよび延長部２ｄを後方へ開き、次いで図１３（ｂ）に示すように表蓋３の上方領域３ｄ′を前方へ開くことによって、ディスクＤをケース１１′から極めて容易に取り出すことができる。
【図面の簡単な説明】
【００２６】
【図１】本願第１の発明によるディスク収納ケースの開閉蓋が閉じた状態を示す概略的斜視図である。
【図２】図１のケースの開閉蓋が開いた状態を示す概略的斜視図である。
【図３】図１のケースにおける要部の拡大断面図である。
【図４】図３のケースにおける開閉蓋が開いた状態を示す拡大断面図である。
【図５】図５（ａ）〜（ｄ）は、図１のケースを開くときの順次の状態の説明に供する概略的断面図である。
【図６】図６（ａ），（ｂ）は、図５（ｄ）の状態からディスクスタンドを作成する方法の説明に供する概略的断面図である。
【図７】図６（ｂ）のディスクスタンドの斜視図である。
【図８】本願第２の発明によるディスク収納ケースの開閉蓋が閉じた状態を示す概略的斜視図である。
【図９】図８のケースにおける要部の拡大断面図である。
【図１０】図８のケースにおける蓋が開いた状態を示す要部の拡大断面図である。
【図１１】図１１（ａ），（ｂ）は、図８のケースを開く状態の説明に供する概略的斜視図である。
【図１２】図８のケースの変形を示す概略的斜視図である。
【図１３】図１３（ａ），（ｂ）は、図１２のケースを開く状態の説明に供する概略的斜視図である
【符号の説明】
【００２７】
１，１１，１１′    ディスク収納ケース
２    裏蓋
２ａ    裏蓋の上方領域
２ｂ    裏蓋の下方領域
２ｃ    裏蓋の肉薄部
３    表蓋
３ｂ    表蓋の下方領域
３ｃ    表蓋の肉薄部
３ｄ    表蓋の上方領域
４    開閉蓋
５    ディスク支持部
７    ケース体
８    係止突起
１４    爪
【図１】
2006036274.tif 000003
【図２】
2006036274.tif 000004
【図３】
2006036274.tif 000005
【図４】
2006036274.tif 000006
【図５】
2006036274.tif 000007
【図６】
2006036274.tif 000008
【図７】
2006036274.tif 000009
【図８】
2006036274.tif 000010
【図９】
2006036274.tif 000011
【図１０】
2006036274.tif 000012
【図１１】
2006036274.tif 000013
【図１２】
2006036274.tif 000014
【図１３】
2006036274.tif 000015